(57)【要約】【課題】ディスポーザーを設置した台所排水配管で、排水トラップにディスポーザーで粉砕された生ごみが一部堆積し、最悪の場合には閉塞するのを防止できるディスポーザー用排出管継手を提供することを目的とする。【解決手段】ディスポーザー排出口３と排水トラップを接続する排出管継手で、ディスポーザーにより細かく粉砕された生ごみと共に排出されるディスポーザー排水が旋回流を生じて排出されるように、ディスポーザー排出口３からの水平方向の配管１と鉛直方向の排水用の配管７が接続される部分を、ディスポーザーの回転方向に合わせた方向の左右どちらかにそれぞれ中心軸をずらして接続することにより、簡易的にディスポーザー排水に旋回流を与えるようにした。また、ディスポーザー排出口３から水平方向の配管１が流れ方向に下り勾配を有する構造とした。【選択図】図１
2005308110.tif 000002
【特許請求の範囲】
【請求項１】
シンク排水口に取り付けられて排水と共に生ごみを粉砕するディスポーザー排出口に取り付けられるディスポーザー用排出管継手であって、ディスポーザー排出口からの水平方向の配管と排水用の鉛直方向の配管をディスポーザーの回転方向に合わせた方向にそれぞれ中心軸をずらして接続し、ディスポーザー排水が鉛直方向の配管の内壁を螺旋状に旋回しながら流出するようにしたことを特徴とするディスポーザー用排出管継手。
【請求項２】
前記水平方向の配管が流れ方向に下り勾配を有することを特徴とする請求項１記載のディスポーザー用排出管継手。
【発明の詳細な説明】
【技術分野】
【０００１】
本発明は、シンク排水口に取り付けられるディスポーザー用排出管継手に関するものである。
【背景技術】
【０００２】
ディスポーザーは１９２７年に米国で発明されたものであって、シンクに取り付け台所排水と共に生ごみを粉砕・処理するものであり、その場で生ごみを排出することができるという利点があるので、１９６０年台頃から日本においても普及し始めたが、その後１９８０年台になると下水道への負担が大きくなる等の理由により各自治体が条例等でディスポーザー単体の設置・使用を禁止していた。
【０００３】
近年、ゴミ問題が深刻な社会問題になっていることから、ディスポーザーを使用した生ごみリサイクルシステムの研究開発が進み、ディスポーザー単独設置ではなく、生ごみを粉砕した後、排水として搬出、浄化処理した後に下水道や合併浄化槽へ排出するディスポーザー生ごみ処理システムの商品化が加速的に普及している。このシステムにおいては、生ごみをディスポーザーで細かく粉砕するとはいえ大きいもので１０ｍｍ程度迄の大きさの固形物が排出されることになるが、排水配管は従来からのトラップや排水配管を使用しているのが現状である。すなわち、通常の排水設備に使用されるトラップでは、その構造・機能上の理由から生ごみを粉砕した固形物がトラップ内に堆積しやすく、最悪の状態になるとトラップが閉塞してしまうなどの問題点があった。
【特許文献１】特開平８−３２６１１６号公報
【発明の開示】
【発明が解決しようとする課題】
【０００４】
ディスポーザー用排出管継手は、シンク排水口に設置されたディスポーザーと台所排水管とを接続する継手である。この排出管継手と台所排水管との間にトラップと呼ばれるものがあり、一般的には様々な種類のものが用いられているが、ディスポーザー用として使用される場合は、Ｓ字型トラップもしくはＰ字型トラップというものが一般的である。
【０００５】
図４は、従来のディスポーザー排出管継手とトラップの説明図であって、ディスポーザー用排出管継手とトラップの設置状態を示すための説明図である。図中、１はディスポーザー排出管継手としての配管、２はトラップ（Ｓ型トラップ）、３はディスポーザー排出口、４は排水管接続部、５はディスポーザー本体である。
【０００６】
図５は従来のディスポーザーに使用されるトラップの説明図であって、一般的にディスポーザーに用いられるトラップの種類（Ａ）〜（Ｆ）を示している。これらのトラップには排水管側の臭気がシンク側に逆流しない様に常に封水深で５０ｍｍ以上なければならないという基準がある（給排水衛生工学会基準；ＨＡＳＳ２０６）。このためにディスポーザーによる生ごみ粉砕物が排出される場合には、この封水部分に固形物が堆積したり、内壁面に付着しやすく、最悪の場合には閉塞するといった問題があった。このため、トラップに流入する排水が旋回流となるよう、従来は、トラップの内面に螺旋状の溝を付けたり、トラップ入口内面に案内ガイドなどを設けるなどしてトラップ内に流入する排水が旋回流となるような工夫が考えられているが、実際に製品化するには構造が複雑であるため製作が非常に困難であった。
【０００７】
そこで本発発明は、排水トラップにディスポーザーで粉砕された生ごみが一部堆積し、最悪の場合には閉塞するのを防止できるディスポーザー用排出管継手を提供することを目
的とする。
【課題を解決するための手段】
【０００８】
本発明は、シンク排水口に取り付けられて排水と共に生ごみを粉砕するディスポーザー排出口に取り付けられるディスポーザー用排出管継手であって、ディスポーザー排出口からの水平方向の配管と排水用の鉛直方向の配管をディスポーザーの回転方向に合わせた方向にそれぞれ中心軸をずらして接続し、ディスポーザー排水が鉛直方向の配管の内壁を螺旋状に旋回しながら流出するようにした。
【発明の効果】
【０００９】
本発明によれば、排水トラップにディスポーザーで粉砕された生ごみが一部堆積し、最悪の場合には閉塞するのを防止できるディスポーザー用排出管継手を実現できる。
【発明を実施するための最良の形態】
【００１０】
請求項１に記載の発明は、シンク排水口に取り付けられて排水と共に生ごみを粉砕するディスポーザー排出口に取り付けられるディスポーザー用排出管継手であって、ディスポーザー排出口からの水平方向の配管と排水用の鉛直方向の配管をディスポーザーの回転方向に合わせた方向に（左回転の場合は左回りに、右回転の場合は右回りに）中心軸をずらして接続し、ディスポーザー排水が鉛直方向の配管の内壁を螺旋状に旋回しながら流出するようにしたものであり、これによりディスポーザーから排出される排水により排水トラップ内に堆積・付着する固形物を効果的に洗浄し、固形物等の堆積を防止できる。
【００１１】
請求項２に記載の発明は、請求項１に記載のディスポーザー用排出管継手において、水平方向の配管が流れ方向に下り勾配を有するものであり、これによりディスポーザー排水の流速を増す効果が得られるので更に十分な旋回流を形成しやすく、一層の洗浄効果が得られる。
【００１２】
（実施の形態）
以下、本発明の最良の実施の形態について説明する。図１は、本発明の一実施の形態におけるディスポーザー用排出管継手の側面図、図２本発明の一実施の形態におけるディスポーザー用排出管継手の断面図、図３は本発明の一実施の形態における排出管継手の使用例の説明図である。図４に示す従来例と同一要素には同一要素には同一符号を付している。６は蓋付き掃除口である。
【００１３】
図１において、ディスポーザー排出口３からの水平方向の配管１は、排水用の鉛直方向の配管７に流れ方向に向かって水平よりも配管口径の逆数以上の下り勾配により接続されている。配管口径は、４０Ａもしくは５０Ａとし、ディスポーザー排出口３からの水平方向の配管勾配は配管口径の逆数（１／４０もしくは１／５０）以上とする。
【００１４】
また、図２は図１の水平方向で輪切りにしたＡ−Ａ断面を上から見た図を示している。図２に示すように、ディスポーザー排出口３からの水平方向の配管１は、排水配管に接続される鉛直方向の配管７に対して、ディスポーザーの回転方向に合わせた方向に（左回転の場合は左回りに、右回転の場合は右回りに）それぞれの配管の中心軸をずらしてＴ字形状に接続されている。中心軸のずれ幅は配管口径の１／３から１／２が望ましいが、鉛直方向の配管７に対して排水の流出方向が配管壁面に鈍角に交錯して流出速度が低減あるいは流出が阻害されない様に、鉛直方向の配管７の円周方向に滑らかに接続されれば特に限定はしない。
【００１５】
また、その中心軸のずれ方向（右方向か、左方向か）は、ディスポーザーから排出される排水速度が低減あるいは排水が阻害されることがないようにディスポーザー回転方向に
合わせた方向、すなわち、左回転の場合は左回りに、右回転の場合は右回りにそれぞれ中心軸をずらして接続する必要がある。
【００１６】
以上の構造により、ディスポーザー排出口３から排出された排水は水平方向の配管１に沿って流出し、またその水平方向の配管１が下り勾配を持つ場合には更にその流出速度が加速されながら鉛直方向の配管７の円周方向に滑らかに流れ込み、水平方向から鉛直方向へと方向を変え鉛直方向の配管７の内壁面に沿って螺旋状に排出されることとなる。
【００１７】
その結果として、図３に示すように、Ｔ字形状あるいはＹ字形状などの排出管継手の直後に接続された排出トラップ８を有する構成において、Ｔ字形状排出管継手から螺旋状に流出する排水がそのまま排水トラップ８に流れ込むことによって排水トラップ８の封水底部に堆積するディスポーザーによる生ごみ粉砕物などの固形物を効果的に洗浄し、固形物等の堆積を防止することができる。
【産業上の利用可能性】
【００１８】
本発明は、ディスポーザーに限らず、一般的な排水設備における台所排水、洗面器、風呂、トイレ等のようにそれらの機器の後流側に排水トラップが設置される場合でも排水が旋回流となって排出されるため、排水トラップに堆積している固形物を排出・洗浄効果が大きいのでこれらの一般排水器具の排水管接続継手等としても産業上の利用可能性がある。
【図面の簡単な説明】
【００１９】
【図１】本発明の一実施の形態におけるディスポーザー用排出管継手の側面図
【図２】本発明の一実施の形態におけるディスポーザー用排出管継手の断面図
【図３】本発明の一実施の形態における排出管継手の使用例の説明図
【図４】従来のディスポーザー排出管継手とトラップの説明図
【図５】従来のディスポーザーに使用されるトラップの説明図
【符号の説明】
【００２０】
１    配管
２    トラップ
３    ディスポーザー排出口
５    ディスポーザー本体
７    配管
８    排水トラップ
【図１】
2005308110.tif 000003
【図２】
2005308110.tif 000004
【図３】
2005308110.tif 000005
【図４】
2005308110.tif 000006
【図５】
2005308110.tif 000007